(57)【要約】  第１ゾーンに配置され、該第１ゾーンの換気に用いられる第１給気口および第１排気口と、第１ゾーンに隣接する第２ゾーンに配置され、該第２ゾーンの換気に用いられる第２給気口および第２排気口と、を備え、第１給気口と、第１排気口と、第２給気口と、第２排気口とは、同一平面上に配置され、第１給気口、第１排気口、第２給気口および第２排気口は、一方向において、第１排気口、第１給気口、第２給気口、第２排気口の順に配置される、または一方向において、第１給気口、第１排気口、第２排気口、第２給気口の順に配置されるものとする。
2019230201.tif 000002
【特許請求の範囲】
【請求項１】
第１ゾーンに配置され、該第１ゾーンの換気に用いられる第１給気口および第１排気口と、
前記第１ゾーンに隣接する第２ゾーンに配置され、該第２ゾーンの換気に用いられる第２給気口および第２排気口と、を備え、
前記第１給気口と、前記第１排気口と、前記第２給気口と、前記第２排気口とは、同一平面上に配置され、
前記第１給気口、前記第１排気口、前記第２給気口および前記第２排気口は、
一方向において、前記第１排気口、前記第１給気口、前記第２給気口、前記第２排気口の順に配置される、または
一方向において、前記第１給気口、前記第１排気口、前記第２排気口、前記第２給気口の順に配置される換気システム。
【請求項２】
前記第１給気口と前記第１排気口との距離は、前記第１給気口と前記第２排気口との距離より短く、
前記第２給気口と前記第２排気口との距離は、前記第２給気口と前記第１排気口との距離より短い請求項１に記載の換気システム。
【請求項３】
前記第１ゾーンにおける前記第１給気口の位置と、前記第２ゾーンにおける前記第２給気口の位置とは、前記第１ゾーンと前記第２ゾーンとの境界に対して対称であり、
前記第１ゾーンにおける前記第１排気口の位置と、前記第２ゾーンにおける前記第２排気口の位置とは、前記境界に対して対称である請求項１または２に記載の換気システム。
【請求項４】
請求項１〜３の何れか一項に記載の換気システムと、
前記第１ゾーンに配置され、該第１ゾーンを空調する第１室内機と、
前記第２ゾーンに配置され、該第２ゾーンを空調する第２室内機と、
を備える空気調和システム。
【請求項５】
前記第１ゾーンにおける人を検出する検出部を備え、
前記第１ゾーンに人が検出されない場合、前記第１室内機は、運転を停止するまたは送風運転する請求項４に記載の空気調和システム。
【請求項６】
前記第１ゾーンに人が検出されない場合、前記第１給気口の給気風量および前記第１排気口の排気風量を０とする、または減少させる風量調節部を備える請求項５に記載の空気調和システム。
【請求項７】
室外温度センサと、
室内温度センサと、を備え、
前記風量調節部は、
前記第１ゾーンに人が検出されない場合であって、前記第１室内機が冷房運転を行うものであり、かつ前記室外温度センサにより検出された室外温度が前記室内温度センサにより検出された室内温度よりも低い場合、前記給気風量および前記排気風量を減少させず、
前記第１ゾーンに人が検出されない場合であって、かつ前記第１室内機が冷房運転を行うものではない場合、または前記第１ゾーンに人が検出されない場合であって、かつ前記室外温度が前記室内温度以上の場合、前記給気風量および前記排気風量を０とする、または減少させる請求項６に記載の空気調和システム。
【請求項８】
前記風量調節部は、
前記第１ゾーンに人が検出された場合であって、前記第１室内機が冷房運転を行うものであり、かつ前記室外温度が前記室内温度よりも低い場合、前記給気風量および前記排気風量を最大風量とする請求項７に記載の空気調和システム。
【請求項９】
前記検出部は、前記第１ゾーンにおける人の数を検出するものであり、
前記風量調節部は、
前記第１ゾーンに人が検出された場合であって、かつ前記第１室内機が冷房運転を行うものではない場合、または前記第１ゾーンに人が検出された場合であって、かつ前記室外温度が前記室内温度以上の場合は、前記給気風量および前記排気風量を、前記人の数に応じた風量とする請求項８に記載の空気調和システム。
【請求項１０】
前記風量調節部は、前記給気風量と前記排気風量とを同じ風量とする請求項６〜９の何れか一項に記載の空気調和システム。
【請求項１１】
前記第１給気口の給気風向および前記第１排気口の排気風向の少なくとも何れか一方が、前記第２ゾーンに向かないよう調節する風向調節部を備える請求項４〜１０の何れか一項に記載の空気調和システム。
【請求項１２】
前記検出部は、前記第２ゾーンにおける人を検出するものであり、
前記第１ゾーンに人が検出された場合であって、前記第２ゾーンに人が検出されない場合、前記第１給気口の給気風向および前記第１排気口の排気風向が、前記第２ゾーンに向かないようにし、
前記第１ゾーンおよび前記第２ゾーンの両方に人が検出された場合、前記第１給気口の給気風向および前記第１排気口の排気風向を下向きにする風向調節部を備える請求項５〜１０の何れか一項に記載の空気調和システム。
【請求項１３】
前記第１給気口および前記第１排気口は、前記第１ゾーンと前記第２ゾーンの境界と直交する方向において、前記第１室内機を挟んだ両側にそれぞれ配置され、
前記第２給気口および前記第２排気口は、前記境界と直交する方向において、前記第２室内機を挟んだ両側にそれぞれ配置される請求項４〜１２の何れか一項に記載の空気調和システム。
【請求項１４】
第１室内機を第１ゾーンに配置し、
第２室内機を前記第１ゾーンに隣接する第２ゾーンに配置し、
第１給気口および第１排気口を前記第１ゾーンに配置し、
第２給気口および第２排気口を前記第２ゾーンに配置し、
前記第１給気口と、前記第１排気口と、前記第２給気口と、前記第２排気口とを同一平面上に配置し、
前記第１給気口、前記第１排気口、前記第２給気口および前記第２排気口を、
一方向において、前記第１排気口、前記第１給気口、前記第２給気口、前記第２排気口の順に配置する、または
一方向において、前記第１給気口、前記第１排気口、前記第２排気口、前記第２給気口の順に配置する空気調和システムの設置方法。
【発明の詳細な説明】
【技術分野】
【０００１】
本発明は、換気システム、空気調和システムおよび空気調和システムの設置方法に関するものであり、詳しくは、ゾーン毎に換気および空調を行う換気システム、空気調和システムおよびその設置方法に関するものである。
【背景技術】
【０００２】
従来、事務所などの複数人が存在する空間を空調する手法として、空間を複数のゾーンに分割し、ゾーン毎に空調を行って消費電力を削減することが知られている。例えば、特許文献１では、空調対象ゾーンの人の存在、および空調対象ゾーンの近傍ゾーンの人の存在を検知し、空調対象ゾーンに人の存在を検知した場合と、近傍ゾーンに人の存在を検知した場合とで、異なる空調運転を実施することが提案されている。【０００３】
また、室内において人が存在する作業域とそれ以外の領域とを、それぞれタスク域およびアンビエント域として分割し、タスク域を効率的に空調するタスク・アンビエント空調も知られている。例えば、特許文献２では、ゾーン毎に放射冷房パネルと外気導入および補助冷房を行う吹出口とが設けられたアンビエント空調域と、執務者毎に小型空調装置が設けられたタスク空調域とからなる空気調和システムが提案されている。特許文献２のアンビエント空調域では、ゾーン毎に執務者の在または不在に応じて、放射パネルに流れる冷熱媒流れ状態および吹出口の風量が制御される。
【先行技術文献】
【特許文献】
【０００４】
【特許文献１】特開２０１５−１１４０８５号公報
【特許文献２】特開２０１３−１９５０４７号公報
【発明の概要】
【発明が解決しようとする課題】
【０００５】
ここで、特許文献１および特許文献２に記載されるように、ゾーン毎に空調または外気導入を制御した場合も、ゾーン間で空気が対流することで、消費電力の削減効果が減少してしまう。例えば、冷房時に、人が存在するゾーンの温度を２６℃にするために空調し、人が不在のゾーンの空調を停止した場合、人が存在するゾーンと不在のゾーンとの空気の対流により、人が存在するゾーンにおける２６℃の空気が不在のゾーンに流入してしまう。これにより、不在のゾーンも空調されることになり、空調負荷が削減されず、消費電力を効果的に削減できなくなってしまう。【０００６】
本発明は、上記のような課題を解決するものであり、ゾーン間での空気の対流を抑制し、消費電力の削減効果を向上させることができる換気システム、空気調和システムおよび空気調和システムの設置方法を提供することを目的とする。
【課題を解決するための手段】
【０００７】
本発明に係る換気システムは、第１ゾーンに配置され、該第１ゾーンの換気に用いられる第１給気口および第１排気口と、第１ゾーンに隣接する第２ゾーンに配置され、該第２ゾーンの換気に用いられる第２給気口および第２排気口と、を備え、第１給気口と、第１排気口と、第２給気口と、第２排気口とは、同一平面上に配置され、第１給気口、第１排気口、第２給気口および第２排気口は、一方向において、第１排気口、第１給気口、第２給気口、第２排気口の順に配置される、または一方向において、第１給気口、第１排気口、第２排気口、第２給気口の順に配置されるものとする。【０００８】
本発明に係る空気調和システムは、上記換気システムと、第１ゾーンに配置され、第１ゾーンを空調する第１室内機と、第２ゾーンに配置され、第２ゾーンを空調する第２室内機と、を備える。【０００９】
本発明に係る空気調和システムの設置方法は、第１室内機を第１ゾーンに配置し、第２室内機を前記第１ゾーンに隣接する第２ゾーンに配置し、第１給気口および第１排気口を第１ゾーンに配置し、第２給気口および第２排気口を第２ゾーンに配置し、第１給気口と、第１排気口と、第２給気口と、第２排気口とを同一平面上に配置し、第１給気口、第１排気口、第２給気口および第２排気口を、一方向において、第１排気口、第１給気口、第２給気口、第２排気口の順に配置する、または一方向において、第１給気口、第１排気口、第２排気口、第２給気口の順に配置するものである。
【発明の効果】
【００１０】
本発明によれば一方向において、第１排気口、第１給気口、第２給気口、第２排気口の順に配置する、または一方向において、第１給気口、第１排気口、第２排気口、第２給気口の順に配置することで、ゾーン間での空気の対流を抑制することができる。これにより、無駄な空調を抑制し、ゾーン毎に効率的に空調を行うことができるため、空気調和システムにおける消費電力の削減効果を向上させることができる。
【図面の簡単な説明】
【００１１】
【図１】実施の形態１における空気調和システムの概略構成図である。
【図２】実施の形態１における第１室内機の概略構成図である。
【図３】実施の形態１における空気調和システムの換気構造を示す図である。
【図４】実施の形態１における制御装置の機能ブロック図である。
【図５】実施の形態１における空気調和システムの動作フローである。
【図６】実施の形態１における空気調和システムの各構成要素の平面的な配置を示す図である。
【図７】実施の形態１の空気調和システムにおける空気の流れを示す模式図である。
【図８】実施の形態１の空気調和システムにおける換気気流を示す模式図である。
【図９】実施の形態２における空気調和システムの換気構造を示す図である。
【図１０】実施の形態２における制御装置の機能ブロック図である。
【図１１】実施の形態２における空気調和システムの動作フローである。
【図１２】実施の形態２の空気調和システムにおける空気の流れを示す模式図である。
【図１３】実施の形態３における空気調和システムの概略構成図である。
【図１４】実施の形態３における制御装置の機能ブロック図である。
【図１５】実施の形態３における空気調和システムの動作フローである。
【図１６】実施の形態３の空気調和システムにおける空気の流れを示す模式図である。
【図１７】実施の形態４における空気調和システムの動作フローである。
【図１８】変形例１における空気調和システムの各構成要素の平面的な配置を示す図である。
【図１９】変形例２における空気調和システムの各構成要素の平面的な配置を示す図である。
【図２０】変形例３における空気調和システムの各構成要素の平面的な配置を示す図である。
【図２１】変形例３の空気調和システムにおける空気の流れを示す模式図である。
【図２２】変形例４における空気調和システムの動作フローである。
【発明を実施するための形態】
【００１２】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一またはこれに相当するものであり、このことは明細書の全文において共通することとする。さらに、明細書全文に表わされている構成要素の形態は、あくまでも例示であって、これらの記載に限定されるものではない。
【００１３】
実施の形態１．
図１は、実施の形態１における空気調和システム１００の概略構成図である。図１は、空気調和システム１００により空調される空調対象空間Ｒを側方から見た模式図である。本実施の形態の空気調和システム１００は、オフィスビルの居室などの空調対象空間Ｒを第１ゾーンＺ１と、第１ゾーンＺ１と隣接する第２ゾーンＺ２とに分割して空調するものである。第１ゾーンＺ１は、第１室内機１１によって空調される空間であり、第２ゾーンＺ２は、第２室内機２１によって空調される空間である。第１ゾーンＺ１と第２ゾーンＺ２の境界を、ゾーン境界Ｂ１２とする。
【００１４】
図１に示すように、空気調和システム１００は、第１ゾーンＺ１に配置され、第１ゾーンＺ１を空調する第１室内機１１と、第１ゾーンＺ１に配置され、第１ゾーンＺ１の換気に用いられる第１給気口１２および第１排気口１３と、第１検出部１４と、を備える。また、空気調和システム１００は、第２ゾーンＺ２に配置され、第２ゾーンＺ２を空調する第２室内機２１と、第２ゾーンＺ２に配置され、第２ゾーンＺ２の換気に用いられる第２給気口２２および第２排気口２３と、第２検出部２４と、を備える。本実施の形態では、第１給気口１２と第１排気口１３、および第２給気口２２と第２排気口２３は、例えば天井面などの同一面上に配置される。
【００１５】
さらに、空気調和システム１００は、空調対象空間Ｒの外に配置され、第１給気口１２、第１排気口１３、第２給気口２２および第２排気口２３と連通する換気装置２００を備える。また、空気調和システム１００は、ビルの管理室などに設けられる制御装置５０を備える。制御装置５０は、使用者による入力を受け付ける操作部１５０を介して、空気調和システム１００に対する運転指示を受信し、操作部１５０を介して指示された運転情報に基づいて空気調和システム１００を統括制御する。
【００１６】
図２は、実施の形態１における第１室内機１１の概略構成図である。なお、第２室内機２１は、第１室内機１１と同じ構成を有しており、ここでは、代表として第１室内機１１について説明する。図２に示すように、第１室内機１１は、筐体１１０と、筐体１１０内に配置される熱交換器１１１と、ファン１１２と、を備える。また、筐体１１０の下方には、熱交換器１１１を通過した空調空気を吹き出す空調吹出口１１３と、室内空気を吸い込む空調吸込口１１４とが設けられる。また、空調吹出口１１３には、空調空気の吹出し方向を調節する風向板１１５が設けられる。第１室内機１１は、ファン１１２によって空調吸込口１１４から室内空気を吸い込み、熱交換器１１１で冷却または加熱し、空調吹出口１１３から室内に吹出すことで、第１ゾーンＺ１の冷房または暖房を行う。
【００１７】
図３は、実施の形態１における空気調和システム１００の換気構造を示す図である。図３に示すように、第１給気口１２および第２給気口２２は、給気風路２０１を介して、換気装置２００に接続される。第１排気口１３および第２排気口２３は、排気風路２０２を介して換気装置２００に接続される。換気装置２００では、給気風路２０１と排気風路２０２とが互いに独立して形成され、給気風路２０１には給気ファン２０３が設けられ、排気風路２０２には、排気ファン２０４が設けられる。なお、図示していないが、換気装置２００は、排気風路２０２を流れる室内空気と給気風路２０１を流れる室外空気との熱交換を行う全熱熱交換器または顕熱熱交換器を設けてもよい。また、第１給気口１２および第１排気口１３と、第２給気口２２および第２排気口２３とが、別々の換気装置２００に接続される構成としてもよい。
【００１８】
給気ファン２０３により吸い込まれた外気（ＯＡ）は、給気風路２０１を通って、第１給気口１２から第１ゾーンＺ１へ給気（ＳＡ）され、第２給気口２２から第２ゾーンＺ２へ給気（ＳＡ）される。また、排気ファン２０４により第１排気口１３および第２排気口２３から吸い込まれた室内空気（ＲＡ）は、排気風路２０２を通って室外に排気（ＥＡ）される。
【００１９】
第１検出部１４は、第１ゾーンＺ１内の人を検出する人検出センサと、第１ゾーンＺ１の室内温度を検出する室内温度センサとを含む。第２検出部２４は、第２ゾーンＺ２内の人を検出する人検出センサと、第２ゾーンＺ２の室内温度を検出する室内温度センサとを含む。第１検出部１４および第２検出部２４による検出結果は、制御装置５０へ出力される。人検出センサは、例えば赤外線センサまたはカメラなどであり、各ゾーンにおける温度分布または画像に基づいて、各ゾーンにおける人の有無を検出する。室内温度センサは、例えば赤外線センサである。
【００２０】
なお、第１検出部１４および第２検出部２４は、第１室内機１１および第２室内機２１に内蔵されてもよい。また、人検出センサと室内温度センサとを１つの赤外線センサで構成してもよいし、別々のセンサとしてもよい。また、第１ゾーンＺ１と第２ゾーンＺ２とで別々に検出部を設けず、１つの検出部によって、第１ゾーンＺ１および第２ゾーンＺ２の人および温度を検出してもよい。
【００２１】
操作部１５０は、空気調和システム１００における運転モード、温度設定、湿度設定、風量設定、および風向設定などの運転情報の指示を受け付ける。空気調和システム１００の運転モードは、冷房運転、暖房運転、送風運転、および換気運転などを含む。操作部１５０は、空気調和システム１００に付属されるリモコンである。その他に、スマートフォン、携帯電話、ＰＤＡ（Personal Digital Assistant）、パソコン、またはタブレットを操作部１５０としてもよい。
【００２２】
図４は、実施の形態１における制御装置５０の機能ブロック図である。図４に示すように、制御装置５０は、機能部として、記憶部５１と、判定部５２と、空調制御部５３と、換気制御部５４とを有する。制御装置５０は、専用のハードウェア、またはメモリ（図示せず）に格納されるプログラムを実行するＣＰＵ（Central Processing Unit、中央処理装置、処理装置、演算装置、マイクロプロセッサ、マイクロコンピュータ、プロセッサともいう）で構成される。制御装置５０が専用のハードウェアである場合、制御装置５０は、例えば、単一回路、複合回路、ＡＳＩＣ（Application Specific Integrated Circuit）、ＦＰＧＡ（Field-Programmable Gate Array）、またはこれらを組み合わせたものが該当する。制御装置５０が実現する各機能部のそれぞれを、個別のハードウェアで実現してもよいし、各機能部を一つのハードウェアで実現してもよい。
【００２３】
制御装置５０がＣＰＵの場合、制御装置５０が実行する各機能は、ソフトウェア、ファームウェア、またはソフトウェアとファームウェアとの組み合わせにより実現される。ソフトウェアまたはファームウェアはプログラムとして記述され、メモリに格納される。ＣＰＵは、メモリに格納されたプログラムを読み出して実行することにより、制御装置５０の各機能を実現する。ここで、メモリは、例えば、ＲＡＭ、ＲＯＭ、フラッシュメモリ、ＥＰＲＯＭ、ＥＥＰＲＯＭ等の、不揮発性または揮発性の半導体メモリである。なお、制御装置５０の機能の一部を専用のハードウェアで実現し、一部をソフトウェアまたはファームウェアで実現するようにしてもよい。
【００２４】
記憶部５１は、操作部１５０を介して使用者から入力される指示内容を記憶する。具体的には、記憶部５１は、空気調和システム１００の運転モード、温度設定、湿度設定、風量設定、および風向設定などを記憶する。なお、記憶部５１は、制御装置５０に含まれるものに限定されず、制御装置５０とは別に設けられるメモリで構成されてもよい。
【００２５】
判定部５２は、第１検出部１４および第２検出部２４の検出結果に基づき、人が検出されたゾーンの空調運転を行い、人が検出されないゾーンの空調運転を停止して、送風運転とするよう、空調制御部５３へ指示する。具体的には、第１検出部１４により第１ゾーンＺ１に人が検出された場合は、第１室内機１１を空調運転とし、人が検出されなかった場合は、第１室内機１１を送風運転とするよう空調制御部５３へ指示する。同様に、第２検出部２４により第２ゾーンＺ２に人が検出された場合は、第２室内機２１を空調運転とし、人が検出されなかった場合は、第２室内機２１を送風運転とするよう空調制御部５３へ指示する。なお、空調運転とは、冷房運転または暖房運転である。
【００２６】
空調制御部５３は、判定部５２からの指示内容および記憶部５１に記憶される指示内容に基づき、第１室内機１１および第２室内機２１を制御する。具体的には、空調制御部５３は、判定部５２より、第１室内機１１を空調運転とするよう指示された場合は、第１検出部１４により検出される室内温度が、記憶部５１に記憶される設定温度となるように、第１室内機１１を制御する。ここでは、第１室内機１１のファン１１２の風量、ならびに第１室内機１１に接続される室外機（図示せず）の圧縮機の運転周波数および膨張弁の開度などが制御される。
【００２７】
また、空調制御部５３は、判定部５２より、第１室内機１１を送風運転とするよう指示された場合は、第１室内機１１の熱交換器１１１への冷媒の流入を停止させ、ファン１１２の駆動を継続させる。空調制御部５３は、判定部５２より、第２室内機２１の空調運転および送風運転が指示された場合も、第１室内機１１の制御と同様の制御を行う。
【００２８】
換気制御部５４は、記憶部５１に記憶される指示内容に基づき、換気装置２００を制御する。具体的には、換気装置２００の給気ファン２０３および排気ファン２０４の風量などが制御される。
【００２９】
図５は、実施の形態１における空気調和システム１００の動作フローである。本動作フローは、制御装置５０により各ゾーンに対して実行される。まず、ゾーン内に人が検出されたか否かが判断される（Ｓ１）。そして、人が検出された場合は（Ｓ１：ＹＥＳ）、記憶部５１に記憶される指示内容に基づいた空調運転が行われる（Ｓ２）。ここでは、すでに空調運転が行われている場合は運転が継続され、停止されている場合は、運転が再開される。一方、人が検出されなかった場合は（Ｓ１：ＮＯ）、送風運転が行われる（Ｓ３）。
【００３０】
そして、空気調和システム１００の運転を終了するか否かが判断される（Ｓ４）。ここで、運転を終了する場合は（Ｓ４：ＹＥＳ）、空気調和システム１００の動作が停止され、本処理を終了する。一方、運転を終了しない場合は（Ｓ４：ＮＯ）、ステップＳ１に戻って以降の処理が繰り返される。
【００３１】
上記のように、本実施の形態では、ゾーン内に人がいる場合にのみ空調運転を行い、人がいない場合には送風運転を行うことで、快適性を損なうことなく、消費電力を削減することができる。ここで、ゾーン毎に空調制御を行う場合であっても、ゾーン間での空気の対流が発生すると、消費電力の削減効果が減少してしまう。そこで、本実施の形態の空気調和システム１００は、ゾーン間での空気の対流を抑制する構成を備え、消費電力削減の効果を向上させている。
【００３２】
本実施の形態の空気調和システム１００における、ゾーン間での空気の対流を抑制する構成について説明する。図６は、実施の形態１における空気調和システム１００の各構成要素の平面的な配置を示す図である。図６に示すように、第１室内機１１は、第１ゾーンＺ１の中央に配置され、第２室内機２１は、第２ゾーンＺ２の中央に配置される。第１給気口１２および第２給気口２２は、ゾーン境界Ｂ１２の近傍にそれぞれ配置される。また、第１給気口１２と第２給気口２２とは、互いに隣接して配置される。第１排気口１３は、第１室内機１１を挟んで、第１給気口１２の反対側に配置され、第２排気口２３は、第２室内機２１を挟んで、第２給気口２２の反対側に配置される。
【００３３】
また、図６に示すように、本実施の形態では、第１ゾーンＺ１における第１給気口１２の位置と、第２ゾーンＺ２における第２給気口２２の位置とは、第１ゾーンＺ１と第２ゾーンＺ２との境界であるゾーン境界Ｂ１２に対して対称となっている。また、第１ゾーンＺ１における第１排気口１３の位置と、第２ゾーンＺ２における第２排気口２３の位置とは、ゾーン境界Ｂ１２に対して対称となっている。なお、ここで言う「対称」とは完全に対称なものだけでなく、略対称である場合も含む。さらに、本実施の形態では、第１給気口１２、第１排気口１３、第２給気口２２および第２排気口２３が、一方向において、第１排気口１３、第１給気口１２、第２給気口２２、第２排気口２３の順に配置される。また、第１給気口１２と第１排気口１３との距離が第１給気口１２と第２排気口２３との距離より短く、第２給気口２２と第２排気口２３との距離が第２給気口２２と第１排気口１３との距離より短くなるように配置される。
【００３４】
図７は、実施の形態１の空気調和システム１００における空気の流れを示す模式図である。図７に示すように、第１給気口１２から吹き出される空気は、第１排気口１３へ吸い込まれ、第２給気口２２から吹き出される空気は、第２排気口２３へ吸い込まれる。このように、各ゾーンに給気口および排気口の両方を配置することで、第１ゾーンＺ１に給気口のみを配置し第２ゾーンＺ２に排気口のみを配置する場合などと比べて、ゾーン間での空気の対流が抑制され、ゾーン毎に空気の流れを閉じることができる。
【００３５】
また、各ゾーンに給気口および排気口の両方を配置した場合でも、例えばゾーン境界Ｂ１２の近傍に第１給気口１２と第２排気口２３とを配置すると、第１給気口１２から吹き出された空気は、近くに配置される第２排気口２３に吸い込まれる。これにより、ゾーン内で空気の流れが閉じず、ゾーン間の対流が発生してしまう。これに対し、本実施の形態では、各ゾーン内の給気口と排気口との距離を、隣接するゾーンの排気口または給気口との距離より短くすることで、ゾーン内で給気および排気が行われ、空気の流れを閉じることができる。
【００３６】
さらに、ゾーン境界Ｂ１２付近に第１給気口１２および第２給気口２２を配置して給気を行うことで、エアカーテンのように他のゾーンからの空気の流入を低減することができる。その結果、本実施の形態の空気調和システム１００では、第１ゾーンＺ１と第２ゾーンＺ２との間で空気の対流が発生することを抑制でき、消費電力の削減効果を向上させることができる。
【００３７】
図８は、実施の形態１の空気調和システム１００における換気気流を示す模式図である。第１給気口１２と第１排気口１３、および第２給気口２２と第２排気口２３を、水平な同一面上に配置することで、ゾーン内に、図８の太い矢印で示す水平方向の気流が発生する。これにより、ゾーン全体を効率良く換気することができる。なお、第１給気口１２、第１排気口１３、第２給気口２２および第２排気口２３を天井面と同一平面に配置してもよい。これにより空間への突出が抑制され、スペースを有効活用できるとともに、意匠性も向上する。
【００３８】
実施の形態２．
実施の形態２における空気調和システム１００Ａについて説明する。実施の形態２では、各ゾーンにおける人の有無に応じて、第１給気口１２、第１排気口１３、第２給気口２２および第２排気口２３の給気風量または排気風量を調節する点において、実施の形態１と相違する。
【００３９】
図９は、実施の形態２における空気調和システム１００Ａの換気構造を示す図である。図９に示すように、給気風路２０１において、第１給気口１２の上流には第１給気風量調節部１２０が設けられ、第２給気口２２の上流には、第２給気風量調節部２２０が設けられる。また、排気風路２０２において、第１排気口１３の下流には第１排気風量調節部１３０が設けられ、第２排気口２３の下流には、第２排気風量調節部２３０が設けられる。
【００４０】
第１給気口１２から第１ゾーンＺ１へ給気される風量は、第１給気風量調節部１２０によって調節され、第２給気口２２から第２ゾーンＺ２へ給気される風量は、第２給気風量調節部２２０によって調節される。また、第１排気口１３から排気される風量は、第１排気風量調節部１３０によって調節され、第２排気口２３から排気される風量は、第２排気風量調節部２３０によって調節される。第１給気風量調節部１２０、第２給気風量調節部２２０、第１排気風量調節部１３０および第２排気風量調節部２３０は、例えばモータなどによって駆動されるダンパーであるり、制御装置５０によってダンパーの羽根の開度が制御されることにより、給気風量および排気風量を調節する。
【００４１】
図１０は、実施の形態２における制御装置５０の機能ブロック図である。本実施の形態の判定部５２は、第１検出部１４および第２検出部２４の検出結果に基づき、人が検出されたゾーンの空調を行い、人が検出されないゾーンの空調および送風を停止するよう、空調制御部５３へ指示する。具体的には、第１検出部１４により第１ゾーンＺ１に人が検出された場合は、第１室内機１１を空調運転とし、人が検出されなかった場合は、第１室内機１１を停止するよう空調制御部５３へ指示する。同様に、第２検出部２４により第２ゾーンＺ２に人が検出された場合は、第２室内機２１を空調運転とし、人が検出されなかった場合は、第２室内機２１を停止するよう空調制御部５３へ指示する。
【００４２】
また、判定部５２は、第１検出部１４および第２検出部２４の検出結果に基づき、人が検出されたゾーンの換気を行い、人が検出されないゾーンの換気を停止するよう、換気制御部５４へ指示する。具体的には、第１検出部１４により第１ゾーンＺ１に人が検出された場合は、第１ゾーンＺ１における換気を行い、人が検出されなかった場合は、第１ゾーンＺ１における換気を停止するよう換気制御部５４へ指示する。同様に、第２ゾーンＺ２に人が検出された場合は、第２ゾーンＺ２における換気を行い、人が検出されなかった場合は、第２ゾーンＺ２における換気を停止するよう換気制御部５４へ指示する。
【００４３】
空調制御部５３は、判定部５２からの指示内容および記憶部５１に記憶される指示内容に基づき、第１室内機１１および第２室内機２１を制御する。具体的には、空調制御部５３は、判定部５２より、第１室内機１１を空調運転とするよう指示された場合は、実施の形態１と同様に、第１室内機１１を制御する。また、空調制御部５３は、判定部５２より、第１室内機１１を停止するよう指示された場合は、第１室内機１１の熱交換器１１１への冷媒の流入を停止し、ファン１１２を停止する。空調制御部５３は、判定部５２より、第２室内機２１の空調運転および第２室内機２１の停止が指示された場合も、第１室内機１１の制御と同様の制御を行う。
【００４４】
換気制御部５４は、記憶部５１に記憶される指示内容に基づき、換気装置２００を制御する。また、換気制御部５４は、判定部５２からの指示内容に基づき、第１給気風量調節部１２０、第１排気風量調節部１３０、第２給気風量調節部２２０および第２排気風量調節部２３０を制御する。具体的には、換気制御部５４は、判定部５２より、第１ゾーンＺ１における換気を行うよう指示された場合は、第１給気口１２の給気風量および第１排気口１３の排気風量が所定の風量となるよう第１給気風量調節部１２０および第１排気風量調節部１３０の開度を制御する。このとき、換気制御部５４は、第１給気口１２の給気風量と第１排気口１３の排気風量とが同じ風量となるよう第１給気風量調節部１２０および第１排気風量調節部１３０を制御する。
【００４５】
また、換気制御部５４は、判定部５２より、第１ゾーンＺ１の換気を停止するよう指示された場合は、第１給気口１２の給気風量および第１排気口１３の排気風量が０となるよう、第１給気風量調節部１２０および第１排気風量調節部１３０の開度を制御する。また、換気制御部５４は、判定部５２より、第２ゾーンＺ２の換気および停止が指示された場合は、第１給気風量調節部１２０および第１排気風量調節部１３０の制御と同様に、第２給気風量調節部２２０および第２排気風量調節部２３０の制御を行う。
【００４６】
図１１は、実施の形態２における空気調和システム１００Ａの動作フローである。本動作フローは、制御装置５０により各ゾーンに対して実行される。まず、ゾーン内に人が検出されたか否かが判断される（Ｓ１）。そして、人が検出された場合は（Ｓ１：ＹＥＳ）、記憶部５１に記憶される指示内容に基づいた空調運転および換気運転が行われる（Ｓ１１）。ここでは、すでに空調運転および換気運転が行われている場合は運転が継続され、停止されている場合は、運転が再開される。
【００４７】
一方、人が検出されなかった場合は（Ｓ１：ＮＯ）、室内機および換気運転が停止される（Ｓ１２）。そして、空気調和システム１００Ａの運転を終了するか否かが判断され（Ｓ４）、運転を終了する場合は（Ｓ４：ＹＥＳ）、空気調和システム１００Ａの動作が停止され、本処理を終了する。一方、運転を終了しない場合は（Ｓ４：ＮＯ）、ステップＳ１に戻って以降の処理が繰り返される。
【００４８】
図１２は、実施の形態２の空気調和システム１００Ａにおける空気の流れを示す模式図である。図１２では、第２ゾーンＺ２に人が検出されなかった場合の空気の流れを示している。本実施の形態においても、ゾーン内に人がいる場合にのみ空調運転を行い、人がいな場合には空調および送風を停止することで、快適性を損なうことなく、消費電力を削減することができる。また、実施の形態１と同様に、各ゾーン内での空気の流れを閉じることができ、消費電力の削減効果を向上させることができる。
【００４９】
さらに、換気を行う際に、各ゾーン内における給気風量と排気風量を同じ風量とすることで、ゾーン間の空気の対流を抑制することができる。また、人が検出されなかった第２ゾーンＺ２の換気を停止することにより、冷房運転時には、高温の外気が第２ゾーンＺ２に流入することを防ぐことができ、第２ゾーンＺ２の室温の上昇を抑制できる。また、暖房運転時には、低温の低外気が第２ゾーンＺ２に流入することを防ぐことができ、第２ゾーンＺ２の室温の低下を抑制できる。このように、人が不在のゾーンの室温上昇または室温低下を抑制することで、人が不在のゾーンから空気が流入してしまった場合にも空調負荷の増加を抑制することができる。その結果、消費電力の削減効果をさらに向上させることができる。
【００５０】
実施の形態３．
実施の形態３の空気調和システム１００Ｂについて説明する。実施の形態３では、室外温度に応じて換気の運転または停止を行う点において、実施の形態２と相違する。
【００５１】
図１３は、実施の形態３における空気調和システム１００Ｂの概略構成図である。本実施の形態の空気調和システム１００Ｂは、空調対象空間Ｒの外の室外温度を検出する室外温度センサ６０をさらに備える。室外温度センサ６０は、第１室内機１１または第２室内機２１に接続される室外機に内蔵されてもよく、もしくは換気装置２００の給気風路２０１に配置されてもよい。室外温度センサ６０により検出された室外温度は、制御装置５０に出力される。
【００５２】
図１４は、実施の形態３における制御装置５０の機能ブロック図である。本実施の形態の判定部５２は、第１室内機１１および第２室内機２１が冷房運転を行う場合は、室外温度センサ６０により検出される室外温度に応じて、換気の運転または停止を行うよう換気制御部５４へ指示する。具体的には、判定部５２は、実施の形態２と同様に、第１ゾーンＺ１に人が検出された場合、第１室内運転を空調運転とし、第１ゾーンＺ１における換気を行うよう空調制御部５３および換気制御部５４へ指示する。
【００５３】
また、判定部５２は、第１ゾーンＺ１に人が検出されなかった場合、第１室内機１１を停止するよう空調制御部５３へ指示する。また、停止した第１室内機１１が停止前に冷房運転を行っていた場合であって、室外温度が室内温度よりも低い場合は、第１ゾーンＺ１における換気を行うよう、換気制御部５４へ指示する。さらに、判定部５２は、停止した第１室内機１１が停止前に冷房運転を行っていない場合（例えば暖房運転を行っていた場合）、または室外温度が室内温度以上の場合は、第１ゾーンＺ１における換気を停止するよう換気制御部５４へ指示する。判定部５２は、第２ゾーンＺ２についても、第１ゾーンＺ１と同様の制御を行う。
【００５４】
空調制御部５３は、実施の形態２と同様に、判定部５２からの指示内容および記憶部５１に記憶される指示内容に基づき、第１室内機１１および第２室内機２１を制御する。また、換気制御部５４も、実施の形態２と同様に、判定部５２からの指示内容に基づき、第１給気風量調節部１２０、第１排気風量調節部１３０、第２給気風量調節部２２０および第２排気風量調節部２３０を制御する。
【００５５】
図１５は、実施の形態３における空気調和システム１００の動作フローである。本動作フローは、制御装置５０により各ゾーンに対して実行される。まず、ゾーン内に人が検出されたか否かが判断される（Ｓ１）。そして、人が検出された場合は（Ｓ１：ＹＥＳ）、記憶部５１に記憶される指示内容に基づいた空調運転および換気運転が行われる（Ｓ１１）。ここでは、すでに空調運転および換気運転が行われている場合は運転が継続され、停止されている場合は、運転が再開される。
【００５６】
一方、ゾーン内に人が検出されなかった場合は（Ｓ１：ＮＯ）、室内機が停止される（Ｓ２１）。室内機の停止後、停止する前の室内機の動作モードが冷房運転であったか否かが判断される（Ｓ２２）。そして、冷房運転だった場合は（Ｓ２２：ＹＥＳ）、室外温度が室内温度よりも低いか否かが判断される（Ｓ２３）。室外温度が室内温度よりも低い場合は（Ｓ２３：ＹＥＳ）、換気運転が行われる（Ｓ２４）。
【００５７】
一方、停止する前の室内機の運転モードが冷房運転でなかった場合（Ｓ２２：ＮＯ）、または室外温度が室内温度以上の場合は（Ｓ２３：ＮＯ）、換気が停止される（Ｓ２５）。そして、空気調和システム１００Ｂの運転を終了するか否かが判断され（Ｓ４）、運転を終了する場合は（Ｓ４：ＹＥＳ）、空気調和システム１００の動作が停止され、本処理を終了する。一方、運転を終了しない場合は（Ｓ４：ＮＯ）、ステップＳ１に戻って以降の処理が繰り返される。
【００５８】
図１６は、実施の形態３の空気調和システム１００Ｂにおける空気の流れを示す模式図である。図１６では、第２ゾーンＺ２に人が検出されず、第２室内機２１が冷房運転を行っていた場合であって、室外温度が室内温度よりも低い場合の空気の流れを示している。本実施の形態においても、実施の形態２と同様に、ゾーン内の人の有無に応じて空調運転を行うことで、快適性を損なうことなく、消費電力を削減できるとともに、ゾーン間での空気の対流を抑制し、消費電力の削減効果を向上させることができる。
【００５９】
また、第１室内機１１および第２室内機２１が冷房運転を行う場合、室外温度が室内温度よりも低いときには、換気を行った方が外気冷房効果を得られ、消費電力の削減効果が得られる。ここで、外気冷房効果とは、温度の低い外気を室内に供給することで冷房効果を得ることである。そこで、本実施の形態では、室外温度が室内温度よりも低い冷房運転時は、換気運転を行うことで、外気冷房効果を得ることができ、年間を通じて消費電力の削減効果を向上させることができる。
【００６０】
実施の形態４．
実施の形態４の空気調和システム１００について説明する。実施の形態４では、各ゾーン内の人の数に応じて換気風量を制御する点において、実施の形態３と相違する。
【００６１】
本実施の形態では、第１検出部１４および第２検出部２４によって、人の有無を検出するとともに、人の数も検出する。なお、各ゾーンのＣＯ２濃度に基づいて人の数を検出する人数検出センサを別途設けてもよい。判定部５２は、検出された人数に応じて、換気風量を変更するよう換気制御部５４へ指示する。換気風量は、第１給気口１２の給気風量および第１排気口１３の排気風量、または第２給気口２２の給気風量および第２排気口２３の排気風量である。
【００６２】
具体的には、判定部５２は、実施の形態２と同様に、第１ゾーンＺ１に人が検出された場合、第１室内運転を空調運転とするよう空調制御部５３へ指示する。また、運転中の第１室内機１１が冷房運転を行っている場合であって、室外温度が室内温度よりも低い場合は、最大風量で第１ゾーンＺ１における換気を行うよう、換気制御部５４へ指示する。また、判定部５２は、運転中の第１室内機１１が冷房運転を行っていない場合（例えば暖房運転を行っていた場合）、または室外温度が室内温度以上の場合は、検出された人数に応じた風量で第１ゾーンＺ１における換気を行うよう、換気制御部５４へ指示する。
【００６３】
また、判定部５２は、第１ゾーンＺ１に人が検出されなかった場合は、第１室内機１１を停止するよう空調制御部５３へ指示する。また、停止した第１室内機１１が停止前に冷房運転を行っていた場合であって、室外温度が室内温度よりも低い場合は、最大風量で第１ゾーンＺ１における換気を行うよう、換気制御部５４へ指示する。さらに、判定部５２は、停止した第１室内機１１が停止前に冷房運転を行っていない場合（例えば暖房運転を行っていた場合）、または室外温度が室内温度以上の場合は、第１ゾーンＺ１における換気を停止するよう換気制御部５４へ指示する。判定部５２は、第２ゾーンＺ２についても、第１ゾーンＺ１と同様の制御を行う。
【００６４】
空調制御部５３は、実施の形態２と同様に、判定部５２からの指示内容および記憶部５１に記憶される指示内容に基づき、第１室内機１１および第２室内機２１を制御する。
【００６５】
換気制御部５４は、判定部５２からの指示内容に基づき、第１給気風量調節部１２０、第１排気風量調節部１３０、第２給気風量調節部２２０および第２排気風量調節部２３０を制御する。具体的には、換気制御部５４は、判定部５２により最大風量で第１ゾーンＺ１における換気を行うよう指示された場合は、第１給気口１２の給気風量および第１排気口１３の排気風量が最大となるよう、第１給気風量調節部１２０および第１排気風量調節部１３０の開度を制御する。
【００６６】
また、換気制御部５４は、判定部５２により、検出された人数に応じた風量で第１ゾーンＺ１における換気を行うよう指示された場合は、第１給気口１２の給気風量および第１排気口１３の排気風量が人数に比例するように、第１給気風量調節部１２０および第１排気風量調節部１３０の開度を制御する。具体的には、第１給気口１２の給気風量および第１排気口１３の排気風量が、人数が多いほど大きくなり、少ないほど小さくなるよう、第１給気風量調節部１２０および第１排気風量調節部１３０の開度が制御される。このとき、換気制御部５４は、第１給気口１２の給気風量と第１排気口１３の排気風量とが同じになるよう第１給気風量調節部１２０および第１排気風量調節部１３０を制御する。または、換気制御部５４は、人の数に応じて、段階的に給気風量および排気風量が増減するよう、第１給気風量調節部１２０および第１排気風量調節部１３０の開度を制御してもよい。第２給気風量調節部２２０および第２排気風量調節部２３０に対しても第１給気風量調節部１２０および第１排気風量調節部１３０と同様の制御が行われる。
【００６７】
図１７は、実施の形態４における空気調和システム１００の動作フローである。本動作フローは、制御装置５０により各ゾーンに対して実行される。まず、ゾーン内に人が検出されたか否かが判断される（Ｓ１）。そして、人が検出された場合は（Ｓ１：ＹＥＳ）、記憶部５１に記憶される指示内容に基づいた空調運転が行われる（Ｓ２）。ここでは、すでに空調運転が行われている場合は運転が継続され、停止されている場合は、運転が再開される。
【００６８】
その後、空調運転が冷房運転か否かが判断される（Ｓ３１）。そして、冷房運転である場合は（Ｓ３１：ＹＥＳ）、室外温度が室内温度よりも低いか否かが判断される（Ｓ３２）。ここで、室外温度が室内温度よりも低い場合は（Ｓ３２：ＹＥＳ）、最大風量での換気運転が行われる（Ｓ３３）。また、冷房運転でない場合（Ｓ３１：ＮＯ）、または室外温度が室内温度以上である場合（Ｓ３２：ＮＯ）は、ゾーン内の人数に応じて調節された風量での換気運転が行われる（Ｓ３４）。
【００６９】
一方、ゾーン内に人が検出されなかった場合は（Ｓ１：ＮＯ）、室内機が停止される（Ｓ２１）。室内機の停止後、停止する前の室内機の動作モードが冷房運転であったか否かが判断される（Ｓ２２）。そして、冷房運転だった場合は（Ｓ２２：ＹＥＳ）、室外温度が室内温度よりも低いか否かが判断される（Ｓ２３）。室外温度が室内温度よりも低い場合は（Ｓ２３：ＹＥＳ）、最大風量での換気運転が行われる（Ｓ３５）。
【００７０】
一方、停止する前の室内機の運転モードが冷房運転でなかった場合（Ｓ２２：ＮＯ）、または室外温度が室内温度以上の場合は（Ｓ２３：ＮＯ）、換気が停止される（Ｓ２５）。そして、空気調和システム１００の運転を終了するか否かが判断され（Ｓ４）、運転を終了する場合は（Ｓ４：ＹＥＳ）、空気調和システム１００の動作が停止され、本処理を終了する。一方、運転を終了しない場合は（Ｓ４：ＮＯ）、ステップＳ１に戻って以降の処理が繰り返される。
【００７１】
本実施の形態においても、実施の形態３と同様に、ゾーン間での空気の対流を抑制し、消費電力の削減効果を向上できるとともに、人が検出されなかったゾーンにおいて、外気冷房効果を得ることができる。また、人が検出されたゾーンにおいても、冷房運転時には、外気冷房効果を得ることができ、空調負荷が低減されて消費電力が削減される。さらに、冷房運転時以外にも、人が検出されたゾーンにおける換気風量を人数に応じた必要最低減の風量とすることで、換気負荷が低減され、消費電力をさらに削減することができる。
【００７２】
以上、本発明の実施の形態について図面を参照して説明したが、本発明の具体的な構成はこれに限られるものでなく、発明の要旨を逸脱しない範囲で変更可能である。例えば、第１給気口１２、第１排気口１３、第２給気口２２、第２排気口２３の配置は、図６の例に限定されるものではない。図１８は、変形例１における空気調和システム１００Ｃの各構成要素の平面的な配置を示す図である。図１８に示すように、第１給気口１２、第１排気口１３、第２給気口２２および第２排気口２３は、各ゾーンの角部にそれぞれ配置されてもよい。この場合も、第１給気口１２の位置と、第２給気口２２の位置とは、ゾーン境界Ｂ１２に対して対称であり、第１排気口１３の位置と、第２排気口２３の位置とは、ゾーン境界Ｂ１２に対して対称である。また、図１８に示す配置においても、第１給気口１２と第１排気口１３との距離が第１給気口１２と第２排気口２３との距離より短く、第２給気口２２と第２排気口２３との距離が第２給気口２２と第１排気口１３との距離より短くなっているため、ゾーン内での閉じた気流を実現することができる。
【００７３】
また、図６および図１８ではゾーン境界Ｂ１２の近傍に第１給気口１２および第２給気口２２を配置したが、ゾーン境界Ｂ１２の近傍に第１排気口１３および第２排気口２３を配置してもよい。詳しくは、図６では、一方向において、第１排気口１３、第１給気口１２、第２給気口２２、第２排気口２３の順に配置されるが、一方向において、第１給気口１２、第１排気口１３、第２排気口２３、第２給気口２２の順に配置されてもよい。すなわち、ゾーン境界Ｂ１２の近傍に、給気口または排気口の何れかを配置することで、ゾーン内での閉じた気流を実現することができる。
【００７４】
また、第１給気口１２、第１排気口１３、第２給気口２２および第２排気口２３をゾーン境界Ｂ１２から離れた位置に配置してもよい。図１９は、変形例２における空気調和システム１００Ｄの各構成要素の平面的な配置を示す図である。図１９に示すように、本変形例における第１給気口１２および第１排気口１３は、第１ゾーンＺ１のゾーン境界Ｂ１２とは反対側の端部に配置される。また、第２給気口２２および第２排気口２３は、第２ゾーンＺ２のゾーン境界Ｂ１２とは反対側の端部に配置される。また、第１給気口１２の位置と、第２給気口２２の位置とは、ゾーン境界Ｂ１２に対して対称であり、第１排気口１３の位置と、第２排気口２３の位置とは、ゾーン境界Ｂ１２に対して対称である。
【００７５】
さらに、図１９に示す配置においても、第１給気口１２と第１排気口１３との距離が第１給気口１２と第２排気口２３との距離より短く、第２給気口２２と第２排気口２３との距離が第２給気口２２と第１排気口１３との距離より短くなっている。これにより、第１給気口１２から吹き出される空気は、第１排気口１３へ吸い込まれ、第２給気口２２から吹き出される空気は、第２排気口２３へ吸い込まれるため、各ゾーン内で空気の流れを閉じることができる。その結果、第１ゾーンＺ１と第２ゾーンＺ２との間で空気の対流が発生することを抑制でき、消費電力の削減効果を向上させることができる。
【００７６】
また、空調対象空間Ｒを分割するゾーンの数は２つに限定されるものではなく、３つ以上のゾーンに分割してもよい。図２０は、変形例３における空気調和システム１００Ｅの各構成要素の平面的な配置を示す図である。図２０に示すように、本変形例では、空調対象空間Ｒを３つのゾーンに分割し、ゾーン毎に空調および換気が行われる。本変形例の空気調和システム１００Ｅは、第２ゾーンＺ２に隣接する第３ゾーンＺ３に配置され、第３ゾーンＺ３を空調する第３室内機３１と、第３ゾーンＺ３に配置され、第３ゾーンＺ３の換気に用いられる第３給気口３２および第３排気口３３と、をさらに備える。
【００７７】
第１ゾーンＺ１および第２ゾーンＺ２における各構成要素の配置は、図６に示す実施の形態１と同じである。また、図２０に示すように、第３室内機３１は、第３ゾーンＺ３の中央に配置される。そして、第２ゾーンＺ２と第３ゾーンＺ３とのゾーン境界Ｂ２３の近傍には、第２排気口２３と、第３排気口３３とが隣接して配置される。また、第３給気口３２は、第３室内機３１を挟んで、第３排気口３３の反対側に配置される。
【００７８】
また、図２０に示すように、第２ゾーンＺ２における第２給気口２２の位置と、第３ゾーンＺ３における第３給気口３２の位置とは、ゾーン境界Ｂ２３に対して対称となっている。また、第２ゾーンＺ２における第２排気口２３の位置と、第３ゾーンＺ３における第３排気口３３の位置とは、ゾーン境界Ｂ２３に対して対称となっている。なお、ここで言う「対称」とは完全に対称なものだけでなく、略対称である場合も含む。さらに、第２給気口２２と第２排気口２３との距離が第２給気口２２と第３排気口３３との距離より短く、第３給気口３２と第３排気口３３との距離が第３給気口３２と第２排気口２３との距離より短くなるように配置される。その結果、第１ゾーンＺ１と第２ゾーンＺ２との間で空気の対流が発生することを抑制でき、消費電力の削減効果を向上させることができる。
【００７９】
図２１は、変形例３の空気調和システム１００Ｅにおける空気の流れを示す模式図である。第１ゾーンＺ１および第２ゾーンＺ２における空気の流れは、図７に示す実施の形態１と同じである。また、図２１に示すように、第３給気口３２から吹き出される空気は、第３排気口３３へ吸い込まれる。このように、ゾーンの数が増えた場合も、各ゾーンに給気口および排気口の両方を配置することで、ゾーン間での空気の対流が抑制され、ゾーン毎に空気の流れを閉じることができる。また、各ゾーン内の給気口と排気口との距離を、隣接するゾーン排気口または給気口との距離より短くすることで、ゾーン内で給気および排気が行われ、空気の流れを閉じることができ、消費電力の削減効果を向上させることができる。
【００８０】
また、上記実施の形態では、第１室内機１１、第１給気口１２および第１排気口１３を空調対象空間Ｒの天井に配置する構成としたが、これに限定されるものではなく、居室の環境などに応じて、空調対象空間Ｒの床または壁面に配置してもよい。第２室内機２１、第２給気口２２および第２排気口２３についても同様である。この場合も、第１給気口１２と第１排気口１３との距離が第１給気口１２と第２排気口２３との距離より短く、第２給気口２２と第２排気口２３との距離が第２給気口２２と第１排気口１３との距離より短くなるように配置すればよい。
【００８１】
さらに、空気調和システム１００における、ゾーン間での空気の対流を抑制する構成として、各室内機から吹き出される空調空気の風向、もしくは各給気口の給気風向または各排気口の排気風向を調節してもよい。具体的には、空調制御部５３は、第２ゾーンＺ２に人がいない場合、空調空気が第２ゾーンＺ２に流入しないように、第１室内機１１の風向板１１５を制御してもよい。
【００８２】
また、第１給気口１２および第１排気口１３の少なくとも何れか一方に第１風向調節部を設け、第２給気口２２および第２排気口２３の少なくとも何れか一方に第２風向調節部を設けてもよい。第１風向調節部および第２風向調節部は、例えば風向板である。そして、第１風向調節部は、第１給気口１２の給気風向および第１排気口１３の排気風向の少なくとも何れか一方が、第２ゾーンＺ２に向かないよう調節する。また、第２風向調節部は、第２給気口２２の給気風向および第２排気口２３の排気方向の少なくとも何れか一方が、第１ゾーンＺ１に向かないよう調節する。第１風向調節部および第２風向調節部は、配置時に手動で調節され、固定されてもよいし、制御装置５０によって、隣接するゾーンの人の有無に応じて制御されてもよい。
【００８３】
図２２は、変形例４における空気調和システム１００の動作フローである。本動作フローは、制御装置５０により各ゾーンに対して実行される。まず、ゾーン内に人が検出されたか否かが判断される（Ｓ１）。そして、人が検出された場合は（Ｓ１：ＹＥＳ）、隣接するゾーンにおいて人が検出されたか否かが判断される（Ｓ４１）。そして、隣接するゾーンにおいては人が検出されていない場合は（Ｓ４１：ＮＯ）、室内機および換気の風向が制御される（Ｓ４２）。
【００８４】
具体的には、制御装置５０は、第１ゾーンＺ１に人が検出された場合であって、第２ゾーンＺ２に人が検出されない場合、第１室内機１１の吹出し風向が第２ゾーンＺ２に向かないように風向板１１５を制御する。また、制御装置５０は、第１ゾーンＺ１に人が検出された場合であって、第２ゾーンＺ２に人が検出されない場合、第１給気口１２の給気風向および第１排気口１３の排気風向が、第２ゾーンＺ２に向かないよう第１風向調節部を制御する。第２ゾーンＺ２についても同様に制御される。
【００８５】
その後、記憶部５１に記憶される指示内容に基づいた空調運転および換気運転が行われる（Ｓ１１）。ここでは、隣接ゾーンに人が検出されなかった場合は、調節後の風向で空調運転および換気運転が行われ、隣接ゾーンに人が検出された場合は、所定の風向（例えば下向き）の風向で空調運転および換気運転が行われる。
【００８６】
一方、人が検出されなかった場合は（Ｓ１：ＮＯ）、室内機および換気運転が停止される（Ｓ１２）。そして、空気調和システム１００の運転を終了するか否かが判断され（Ｓ４）、運転を終了する場合は（Ｓ４：ＹＥＳ）、空気調和システム１００Ａの動作が停止され、本処理を終了する。一方、運転を終了しない場合は（Ｓ４：ＮＯ）、ステップＳ１に戻って以降の処理が繰り返される。
【００８７】
このように構成することで、人が検出されないゾーンへの空気の流入をさらに抑制することができる。その結果、第１ゾーンＺ１と第２ゾーンＺ２との間で空気の対流が発生することを抑制でき、消費電力の削減効果を向上させることができる。
【００８８】
さらに、ゾーン境界Ｂ１２にゾーン間の空気の対流を抑制するエアカーテンを別途設けてもよい。これにより、ゾーン間の空気の対流をさらに抑制することができる。
【００８９】
また、上記実施の形態では、第１給気風量調節部１２０および第１排気風量調節部１３０を備える構成としたが、これに限定されるものではなく、第１給気口１２および第１排気口１３の少なくとも何れか一方に、第１風量調節部を設ける構成としてもよい。同様に、第２給気口２２および第２排気口２３の少なくとも何れか一方に第２風量調節部を設ける構成としてもよい。また、第１給気口１２および第１排気口１３と、第２給気口２２および第２排気口２３とが、別々の換気装置２００に接続される構成とした場合、各換気装置２００における給気ファン２０３および排気ファン２０４を、第１給気風量調節部１２０および第１排気風量調節部１３０、ならびに第２給気風量調節部２２０および第２排気風量調節部２３０としてもよい。この場合は、給気ファン２０３および排気ファン２０４の回転数を制御することで、各給気口および各排気口からの給気風量および排気風量が制御される。
【００９０】
また、実施の形態１では、ゾーン内に人が検出されない場合、室内機を送風運転としたが（図５のＳ３）、送風を停止してもよい。実施の形態２〜４では、ゾーン内に人が検出されない場合、ゾーン内の室内機を停止したが（図１１のＳ１２、図１５、図１７のＳ２１）、室内機を停止するのではなく、送風運転としてもよい。また、実施の形態２〜４では、ゾーン内に人が検出されない場合、換気を停止し、換気風量を０としたが（図１１のＳ１２、図１５、図１７のＳ２５）、換気風量を０とするのではなく、０に近づくように換気風量を減少させてもよい。これらの場合でも、各ゾーン内で空気の流れが閉じることに変わりはなく、消費電力を削減することができる。
【００９１】
また、上記実施の形態における空気調和システム１００の動作フロー（図５、図１１、図１５、図１７）は、ゾーン毎に実行される構成としたが、複数のゾーンの内、少なくとも一つのゾーンに対して実行されてもよい。また、空気調和システム１００において、第１室内機１１および第２室内機２１は必須ではなく、その他の空調機器を備えてもよいし、第１給気口１２、第１排気口１３、第２給気口２２および第２排気口２３を備える換気システムであってもよい。
【符号の説明】
【００９２】
１１  第１室内機、１２  第１給気口、１３  第１排気口、１４  第１検出部、２１  第２室内機、２２  第２給気口、２３  第２排気口、２４  第２検出部、３１  第３室内機、３２  第３給気口、３３  第３排気口、５０  制御装置、５１  記憶部、５２  判定部、５３  空調制御部、５４  換気制御部、６０  室外温度センサ、１００、１００Ａ、１００Ｂ、１００Ｃ、１００Ｄ、１００Ｅ  空気調和システム、１１０  筐体、１１１  熱交換器、１１２  ファン、１１３  空調吹出口、１１４  空調吸込口、１１５  風向板、１２０  第１給気風量調節部、１３０  第１排気風量調節部、１５０  操作部、２００  換気装置、２０１  給気風路、２０２  排気風路、２０３  給気ファン、２０４  排気ファン、２２０  第２給気風量調節部、２３０  第２排気風量調節部、Ｂ１２  ゾーン境界、Ｂ２３  ゾーン境界、Ｒ  空調対象空間、Ｚ１  第１ゾーン、Ｚ２  第２ゾーン、Ｚ３  第３ゾーン。
【図１】
2019230201.tif 000003
【図２】
2019230201.tif 000004
【図３】
2019230201.tif 000005
【図４】
2019230201.tif 000006
【図５】
2019230201.tif 000007
【図６】
2019230201.tif 000008
【図７】
2019230201.tif 000009
【図８】
2019230201.tif 000010
【図９】
2019230201.tif 000011
【図１０】
2019230201.tif 000012
【図１１】
2019230201.tif 000013
【図１２】
2019230201.tif 000014
【図１３】
2019230201.tif 000015
【図１４】
2019230201.tif 000016
【図１５】
2019230201.tif 000017
【図１６】
2019230201.tif 000018
【図１７】
2019230201.tif 000019
【図１８】
2019230201.tif 000020
【図１９】
2019230201.tif 000021
【図２０】
2019230201.tif 000022
【図２１】
2019230201.tif 000023
【図２２】
2019230201.tif 000024
【国際調査報告】
2019230201.tif 000025
2019230201.tif 000026
2019230201.tif 000027
2019230201.tif 000028